(57)【要約】【課題】特定の位置の肌診断を家庭内で手軽に行うことができる肌診断装置を提供する。【解決手段】被験者の肌を撮影して肌状態を診断する肌診断装置において、肌状態を測定する肌測定ユニット２１の先端を肌に接触させ、目印２２によって肌測定ユニット２１で測定しようとする被験者の肌の測定位置を検知する。肌測定ユニット２１肌測定ユニット２１による肌状態の測定を行い、測定された肌状態と肌測定ユニット２１で測定しようとする被験者の肌の位置とを被験者に知らせる。【選択図】図６
2010284239.tif 000002
【特許請求の範囲】
【請求項１】
被験者の肌を撮影して肌状態を診断する肌診断装置において、
前記肌状態を測定する肌測定ユニットと、
前記肌測定ユニットで測定しようとする前記被験者の肌の測定位置を検知する測定位置検知手段と、
前記肌測定ユニットで測定された前記肌状態と前記測定位置検知手段で検知された前記測定位置とを前記被験者に知らせる測定位置報知手段と
を備えていることを特徴とする肌診断装置。
【請求項２】
前記肌測定ユニットは、前記被験者の肌の拡大画像を取得するための画像撮影手段と、前記被験者の肌状態を測定するための測定手段と、前記測定手段で測定された肌状態を解析する肌解析手段と、前記測定手段で測定された測定値、前記画像撮影手段で拡大された前記被験者の肌の画像を記憶する記憶手段とを有することを特徴とする請求項１記載の肌診断装置。
【請求項３】
前記測定位置検知手段は、前記被験者の肌を撮影する肌撮影手段と、前記肌撮影手段で撮影された画像を表示する表示手段とを有し、
前記肌測定ユニットは、前記測定位置を特定するための目印を有し、
前記肌解析手段は、前記目印に基づいて前記測定位置を特定する測定位置特定手段を有することを特徴とする請求項２記載の肌診断装置。
【請求項４】
前記測定位置検知手段は、前記被験者の肌を撮影する肌撮影手段と、前記肌撮影手段で撮影された画像を表示する表示手段とを有し、
前記肌解析手段は、前記表示手段に表示された前記画像を複数の領域に区画するとともに前記測定位置を特定するための前記画像上の目印が前記複数に区画された領域のいずれにあるかを認識する測定位置認識手段を有することを特徴とする請求項２記載の肌診断装置。
【請求項５】
前記記憶手段は、前記測定手段によって測定された前記測定位置の肌状態のデータを蓄積し、
前記肌解析手段は、前記肌状態のデータに基づいて前記被験者特有の肌の特徴を見つけ出す肌特徴抽出手段を有することを特徴とする請求項２記載の肌診断装置。
【請求項６】
前記記憶手段は、前記測定位置毎に予め定義された良好な肌状態のデータを記憶したデータベースを有し、
前記肌解析手段は、前記測定手段によって測定された肌状態のデータと前記データベースに予め記憶された良好な肌状態のデータとを前記測定位置毎に比較し、良好な肌状態のデータから外れたデータを有する測定位置を抽出する測定位置抽出手段を有することを特徴とする請求項２記載の肌診断装置。
【請求項７】
前記測定位置報知手段は、前記肌解析手段で抽出された良好な肌状態のデータから外れたデータを有する測定位置の肌状態の測定を再度行うように前記肌解析手段の指示に基づいて前記被験者に促す再測定報知手段を有することを特徴とする請求項２記載の肌診断装置。
【発明の詳細な説明】
【技術分野】
【０００１】
この発明は肌診断装置に関する。
【背景技術】
【０００２】
従来、可撓性の本体と、この本体に内蔵されるカメラ部と、本体に対し引き出し又は収納可能に設けられ、引出位置では本体に対向する被写体の頭部を外光から遮断し得るように構成され、その内面に反射機能が付与されている折畳式のフードと、本体に設けられ、光源からの発光をフード内面に反射させる照明装置と、被写体の顔面とカメラ部の撮像素子との間に光路を形成する光路形成部とを備える顔面撮像装置が知られている（下記公報参照）。
【０００３】
上記顔面撮像装置を用いて顔全体を撮影し、取得した画像を特定の位置の肌診断に利用することができる。
【先行技術文献】
【特許文献】
【０００４】
【特許文献１】特開２００７−１５８３９５号公報
【発明の概要】
【発明が解決しようとする課題】
【０００５】
しかし、上記顔面撮像装置は顔全体を包み込むようにして撮影するものであり、装置が大型化するため、持ち運びが面倒であり、家庭で手軽に肌診断を行うことはできなかった。
【０００６】
この発明はこのような事情に鑑みてなされたもので、その課題は肌診断を家庭で手軽に行うことができる肌診断装置を提供することである。
【課題を解決するための手段】
【０００７】
上記課題を解決するため請求項１記載の発明は、被験者の肌を撮影して肌状態を診断する肌診断装置において、前記肌状態を測定する肌測定ユニットと、前記肌測定ユニットで測定しようとする前記被験者の肌の測定位置を検知する測定位置検知手段と、前記肌測定ユニットで測定された前記肌状態と前記測定位置検知手段で検知された前記測定位置とを前記被験者に知らせる測定位置報知手段とを備えていることを特徴とする肌診断装置である。
【０００８】
請求項２に記載の発明は、請求項１記載の肌診断装置において、前記肌測定ユニットは、前記被験者の肌の拡大画像を取得するための画像撮影手段と、前記被験者の肌状態を測定するための測定手段と、前記測定手段で測定された肌状態を解析する肌解析手段と、前記測定手段で測定された測定値、前記画像撮影手段で拡大された前記被験者の肌の画像を記憶する記憶手段とを有することを特徴とする。
【０００９】
請求項３に記載の発明は、請求項２記載の肌診断装置において、前記測定位置検知手段は、前記被験者の肌を撮影する肌撮影手段と、前記肌撮影手段で撮影された画像を表示する表示手段とを有し、前記肌測定ユニットは、前記測定位置を特定するための目印を有し、前記肌解析手段は、前記目印に基づいて前記測定位置を特定する測定位置特定手段を有することを特徴とする。
【００１０】
請求項４に記載の発明は、請求項２記載の肌診断装置において、前記測定位置検知手段は、前記被験者の肌を撮影する肌撮影手段と、前記肌撮影手段で撮影された画像を表示する表示手段とを有し、
前記肌解析手段は、前記表示手段に表示された前記画像を複数の領域に区画するとともに前記測定位置を特定するための前記画像上の目印が前記複数に区画された領域のいずれにあるかを認識する測定位置認識手段を有することを特徴とする。
【００１１】
請求項５に記載の発明は、請求項２記載の肌診断装置において、前記記憶手段は、前記測定手段によって測定された前記測定位置の肌状態のデータを蓄積し、前記肌解析手段は、前記肌状態のデータに基づいて前記被験者特有の肌の特徴を見つけ出す肌特徴抽出手段を有することを特徴とする。
【００１２】
請求項６に記載の発明は、請求項２記載の肌診断装置において、前記記憶手段は、前記測定位置毎に予め定義された良好な肌状態のデータを記憶したデータベースを有し、前記肌解析手段は、前記測定手段によって測定された肌状態のデータと前記データベースに予め記憶された良好な肌状態のデータとを前記測定位置毎に比較し、良好な肌状態のデータから外れたデータを有する測定位置を抽出する測定位置抽出手段を有することを特徴とする。
【００１３】
請求項７に記載の発明は、請求項２記載の肌診断装置において、前記測定位置報知手段は、前記肌解析手段で抽出された良好な肌状態のデータから外れたデータを有する測定位置の肌状態の測定を再度行うように前記肌解析手段の指示に基づいて前記被験者に促す再測定報知手段を有することを特徴とする。
【発明の効果】
【００１４】
この発明によれば肌診断を家庭で手軽に行うことができる。
【図面の簡単な説明】
【００１５】
【図１】図１はこの発明の一実施形態に係る肌診断装置の構成を示すブロック図である。
【図２】図２は肌診断装置の動作を説明するフローチャートである。
【図３】図３（ａ）は肌診断装置の動作を説明するフローチャート、図３（ｂ）は肌解析装置の動作を説明するフローチャートである。
【図４】図４は撮影装置を有するディスプレイを示す正面図である。
【図５】図５は肌測定ユニットと撮影装置を有するディスプレイとの位置関係を示す図である。
【図６】図６は肌測定ユニットの使用状態を示す図である。
【図７】図７は拡大画像が表示されたディスプレイの画面を示す図である。
【図８】図８はディスプレイの画面を示す図である。
【図９】図９は肌状態データベースのデータ構成の一例を示す図である。
【発明を実施するための形態】
【００１６】
以下、この発明の実施の形態を図面に基づいて説明する。
【００１７】
図１はこの発明の一実施形態に係る肌診断装置１の構成を示すブロック図である。
【００１８】
肌診断装置１は、肌状態を測定する肌測定ユニット２１と、肌測定ユニット２１で測定しようとする被験者（図示せず）の肌の位置（測定位置）を検知する測定位置検知部（測定位置検知手段）１０と、肌測定ユニット２１で測定された肌状態と測定位置検知部１０で検知された測定位置とを被験者に知らせる測定位置報知部（測定位置報知手段）６０とを備えている。
【００１９】
測定位置検知部１０は、被験者の肌を撮影する撮影装置（肌撮影手段）１１と、撮影装置１１で撮影された画像を表示するディスプレイ（表示手段）４１とを有する（図４参照）。撮影装置１１は例えばＣＣＤカメラである。
【００２０】
肌測定ユニット２１は、被験者の肌の拡大画像を取得するための画像撮影手段（図示せず）と、被験者の肌状態を測定するためのセンサ（測定手段）２５（図６参照）と、センサ２５で測定された肌状態を解析する肌解析装置（肌解析手段）３０と、センサ２５で測定された測定値、前記画像撮影手段で拡大された被験者の肌の画像を記憶する記憶装置（記憶手段）５０とを有する。
【００２１】
記憶装置５０は肌状態データベース５１を有する。肌状態データベース５１に前記被験者の肌の画像及びセンサ２５によって測定された測定位置の肌状態のデータが記憶される。また、肌状態データベース５１には、測定位置毎に予め定義された良好な肌状態のデータが記憶されている。
【００２２】
なお、肌状態データベース５１を例えば通信ネットワークを介して外部データベース（図示せず）に接続すれば、最新の情報を蓄積しておくことが可能になる。
【００２３】
肌解析装置３０は、肌診断装置１の動作を制御するためのプログラムを記憶するメモリ（ＲＯＭ）やプログラムを実行するＣＰＵ（図示せず）等を備える。
【００２４】
肌解析装置３０は、目印２２に基づいて測定位置を特定する測定位置特定手段として機能する。
【００２５】
また、肌解析装置３０は、ディスプレイ４１に表示された画像を複数の領域に区画するとともに、目印２２がいずれの領域にあるかを画像処理によって認識する測定位置認識手段として機能する（図８参照）。
【００２６】
更に、肌解析装置３０は、センサ２５によって測定された測定位置の肌状態のデータに基づいて被験者特有の肌の特徴を見つけ出す肌特徴抽出手段として機能する。なお、肌解析装置３０は、測定の回数を増やしていくことで被験者の特徴を更新するアルゴリズムを有する。
【００２７】
また、肌解析装置３０は、センサ２５によって測定された肌状態のデータと肌状態データベース５１に予め記憶された良好な肌状態のデータ（基準値）とを測定位置毎に比較し、良好な肌状態のデータから外れたデータを有する測定位置を抽出する測定位置抽出手段として機能する。
【００２８】
測定位置報知部６０は、肌解析装置３０からの指示に基づいて良好な状態を示す肌状態のデータから外れたデータを有する測定位置の肌状態の測定を再度行うように被験者に音、音声、振動等で報知する図示しない報知部（再測定報知手段）を有する。報知部は光や音によって被験者に再測定を報知する。
【００２９】
次に、肌診断装置１の動作を説明する。
【００３０】
図２は肌診断装置１の動作を説明するフローチャートである。なお、Ｓ１〜Ｓ５は各処理のステップを示す。
【００３１】
まず、肌測定ユニット２１で測定しようとする肌の位置を検出する（Ｓ１）。
【００３２】
次に、被験者が測定位置を認識できるように、目印２２によって特定された測定位置をディスプレイ４１に表示する（Ｓ２）。
【００３３】
その後、肌状態の測定を開始する（Ｓ３）。このとき、センサ２５によって水分量、油分量、しみ、ほくろ等の状況を検知する。また、測定位置認識機能を働かせて被験者に測定位置を認識させてもよい。このとき、図８の星印（画像上の目印）４３で示された領域の全部又は一部（例えば１ｃｍ×１ｃｍの領域）が測定される。
【００３４】
その後、水分量、油分量等の測定値（肌状態のデータ）や肌拡大画像４２等を肌状態データベース５１に記録する（Ｓ４）。肌状態データベース５１に記録される項目は、個人を特定できるＩＤ（氏名、生年月日、性別等）、測定日、測定部位、肌状態のデータ、肌拡大画像４２等である。これらは例えば測定部位毎に肌状態データベース５１に記憶されるとともに、ディスプレイ４１に表示される（Ｓ５）。
【００３５】
図３（ａ）は肌診断装置１の動作を説明するフローチャートである。なお、Ｓ１１〜Ｓ１７は各処理のステップを示す。
【００３６】
まず、肌状態データベース５１に蓄積された過去のデータから肌測定を行う被験者の肌特徴を検索する（Ｓ１１〜Ｓ１３）。
【００３７】
次に、ステップＳ１１〜Ｓ１３で検索された肌特徴に基づいて被験者に測定位置を例えば図８のようにディスプレイ４１上に画像で報知する（Ｓ１４）。測定位置の報知は撮影装置１１で撮影された画像の動きにしたがって行われる。なお、画像で報知する代わりに音、音声、振動等によって測定位置を報知するようにしてもよい。また、感覚センサ（Ｔ．Ａｍｅｍｉｙａ，Ｈ．Ａｎｄｏ，ａｎｄ  Ｔ．Ｍａｅｄａ  “Ｐｅｒｃｅｐｔｕａｌ  Ａｔｔｒａｃｔｉｏｎ  Ｆｏｒｃｅ：  Ｔｈｅ  Ｓｉｘｔｈ  Ｆｏｒｃｅ，”）Ｐｒｏｃ．  ｏｆ  ＡＣＭ  ＳＩＧＧＲＡＰＨ  ２００６，２００６．  参照）を用いて肌測定ユニット２１を測定位置へ誘導してもよい。
【００３８】
被験者は報知（又は誘導）された測定位置に肌測定ユニット２１を合わせ、肌状態を測定する（Ｓ１５）。なお、被験者に測定位置を報知する測定催促モードと、被験者に測定位置を報知しないモードとを切り換える切換ボタン（図示せず）をディスプレイ４１上に表示させ、切換ボタンで被験者がモードを切り替えることができるようにしてもよい。
【００３９】
ステップ１６及びステップ１７の処理はステップ４及びステップ５の処理と同じである。
【００４０】
図３（ｂ）は肌解析装置３０の動作を説明するフローチャートである。なお、Ｓ２１〜Ｓ２４は各処理ステップを示す。
【００４１】
まず、画像データや肌状態の測定値と肌状態データベース５１に蓄積された基準値（範囲）とを比較し、肌の良否を評価する（Ｓ２１）。基準値としては例えば年齢に対応する標準的な値が用いられる。例えば基準値を超えている場合をＣ、基準値以内の場合をＢ、基準値以内の場合でも肌が特に良好な場合をＡとし、肌の各部位毎に良否評価を行う。
【００４２】
次に、センサ２５で測定された測定値、画像撮影手段で拡大された被験者の肌の画像に基づいて被験者の肌の特徴点を検索する（Ｓ２２）。検索された特徴は測定ポイントリストに格納される（Ｓ２３）。例えば、おでこの油分量と頬の水分量とがＣであるという評価が続いた被験者は部分的に乾燥と油っぽさとを有すると判断され、おでこと頬との位置と肌情報とが測定ポイントリストに格納される。また、しみ、そばかす、ほくろが多い被験者の場合、しみやほくろの位置や大きさ、色等の変化を測定ポイントリストに格納する。このとき、将来、皮膚がん等に発展する可能性を調査する機能を肌解析装置３０に設けてもよい。
【００４３】
被験者の肌特徴のデータを格納した測定ポイントリストは肌状態データベース５１に蓄積される（Ｓ２４）。測定ポイントリストのデータ構成の一例を図９に示す。
【００４４】
次に、肌診断装置１の使用方法の一例を説明する。
【００４５】
図４は撮影装置１１を有するディスプレイ４１との位置関係を示す正面図、図５は肌測定ユニット２１と撮影装置１１を有するディスプレイ４１との位置関係を示す図である。
【００４６】
矩形のディスプレイ４１は例えば机の上に斜めに置かれる。ディスプレイ４１の上端には撮影装置１１（ＣＣＤカメラ）が取り付けられている。撮影装置１１を起動すると、被験者の顔Ｆの画像がディスプレイ４１にリアルタイムに表示される。したがって、鏡を用いなくても正確に肌状態を測定したい位置（目印２２）を認識することができる。
【００４７】
ディスプレイ４１にはタッチパネル（図示せず）が設けられ、タッチペン等を用いて測定や画像処理を行うための種々の指令やデータ入力することができる。ディスプレイ４１には初めての測定か否かを選択する画面が表示される。初めて測定の場合、ＩＤ（氏名、生年月日、性別等）５３を入力する（図９参照）。次回の測定からは肌状態データベース５１の記録された氏名等を選択するだけで肌状態の測定を行うことができる。なお、次回の測定からはライブ画像と肌状態データベース５１の画像とを比較する顔認識アルゴリズムによって被験者を認証するようにしてもよい。
【００４８】
図６は肌測定ユニット２１の使用状態を示す図、図７は拡大画像が表示されたディスプレイ４１の画面を示す図である。
【００４９】
肌測定ユニット２１には、ＬＥＤ等で構成される目印２２と、肌拡大画像表示をオンするボタン２３と、測定を開始させる測定開始ボタン２４と、肌に接触させるセンサ２５とが設けられている。
【００５０】
センサ２５は例えば水分や油分等を検出する超音波センサや、しみやほくろの状況を検知する画像センサである。
【００５１】
肌測定ユニット２１の先端部にはセンサ２５とともに肌の拡大画像撮影用のＣＣＤカメラ等（画像撮影手段）のレンズが設けられている。肌拡大画像４２は顔全体の画像の一部に重ねて表示される（図７参照）。
【００５２】
被験者が肌測定ユニット２１のセンサ２５を肌に接触させると、目印２２によって肌測定ユニット２１で測定しようとする被験者の肌の位置が検知される。
【００５３】
測定開始ボタン２４が押されると測定が開始される。ボタン２３を押すことにより肌拡大画像４２がディスプレイ４１に表示されるので（図７参照）、被験者は確実に測定が行われたことを視覚的に認識することができる。なお、肌拡大画像４２は静止画として表示し、数秒後にリアルタイム表示に切り替わる。前述したように、水分量、油分量等の測定値や拡大画像等は肌状態データベース５１に記憶される。
【００５４】
その後、ディスプレイ４１に測定完了のメッセージが表示される。
【００５５】
なお、肌画像データはデジタルのカラー画像データであり、ＪＰＥＧ等のファイル形式で肌状態データベース５１に記憶される。
【００５６】
図８はディスプレイ４１の画面を示す図である。
【００５７】
図８ではディスプレイ４１に表示した顔Ｆの領域が複数（７つ）に分割されているが、分割数は適宜変更することができる。なお、顔Ｆの領域の分割数を大きくすればするほど測定の精度を上げることができるが、測定回数が増加し測定時間が長くなる。領域の大きさと認識した顔Ｆの位置とから目印２２の位置を求め、測定位置を特定する。星印４３をディスプレイ４１に表示させることによって被験者に測定位置を視覚的に認識させることができる。そのため、被験者は顔Ｆのぶれや動きを気にすることなく肌状態を測定することができる。
【００５８】
図９は肌状態データベース５１のデータ構成の一例を示す図である。
【００５９】
肌状態データベース５１には、ＩＤ（氏名、生年月日、性別等）５３と、測定日毎の各部位の拡大画像、水分量、しみ位置・色、しみ大きさ等のデータ５２が記憶されている。
【００６０】
この実施形態によれば、被験者が肌測定ユニットを肌に接触させるだけで肌診断を行うことができるので、肌診断を家庭で手軽に行うことができる。
【符号の説明】
【００６１】
１： 肌診断装置、１０：測定位置検知部（測定位置検知手段）、１１：撮影装置（肌撮影手段）、２１：肌測定ユニット、２２：目印、２５：センサ（測定手段）、３０：肌解析装置（肌解析手段）、４１：ディスプレイ（表示手段）、５０：記憶装置（記憶手段）、６０：測定位置報知部（測定位置報知手段）。
【図１】
2010284239.tif 000003
【図２】
2010284239.tif 000004
【図３】
2010284239.tif 000005
【図４】
2010284239.tif 000006
【図５】
2010284239.tif 000007
【図６】
2010284239.tif 000008
【図７】
2010284239.tif 000009
【図８】
2010284239.tif 000010
【図９】
2010284239.tif 000011